(57)【要約】      （修正有）【課題】簡便で着やすい構造でありながら、裾乱れを気にする必要のない二部式の和服を提供する。【解決手段】腰部で上衣と下衣１に二分割した二部式の和服であって、腰部を含む下衣１には、縦長さは和服の腰部から裾８までの位置に、幅は右前身頃２の右褄５近傍から左前身頃３に向かって衽４の端までの略方形のマチ（襠）５を、両前身頃２，３に架け渡すことにより筒状部を形成し、裾乱れを気にしないように穿けるようにして構成する。【選択図】図１
0003211164.tif 000002
【実用新案登録請求の範囲】
【請求項１】
腰部で上衣と下衣に二分割した和服であって、腰部を含む下衣にはマチ（襠）を付け、該マチは、縦長さは和服腰部から裾上までで、幅は右前身頃の右褄近傍から左前身頃に向かって左おくみ（衽）の左前身頃との接合端付近までの略方形であるマチを両前身頃に架け渡すことにより筒状部を形成してなる、該下衣をスカートのように穿ける和服。
【請求項２】
マチの縦長さが少なくとも上下の何れかに裾に対して明きを開ける請求項１の和服。
【請求項３】
腰部で上衣と下衣に二分割した和服であって、腰部を含む下衣にはマチ（襠）を付け、該マチは、縦長さは和服腰部から裾上までで、幅は右前身頃の右褄近傍から左前身頃に向かって左おくみ（衽）の左前身頃との接合端までの略方形のマチを両前身頃に架け渡すことにより筒状部を形成してなる、該下衣をスカート感覚で穿き、当該マチは折り返して、前記衽部分で重ね合わせて着付けをすることからなる、和服の着付け方法。
【請求項４】
着付ける際は、右前身頃は左前身頃よりも上方に、より強く引き付けて着付ける請求項３の和服の着付け方法。
【考案の詳細な説明】
【技術分野】
【０００１】
本考案は、着やすい簡便なマチ（襠）付の和服に関し、該マチがガードとなり、たとえば風や膝崩し等により身頃が開いて裾の乱れ等があっても気にならない構造のマチ付和服に関する。
【背景技術】
【０００２】
和服は、一般には左右の前身頃を重ね合わせて着付けることにより着付けるために、速足歩行時やひざ崩し時、風、階段等により、重ね合さった両前身頃が開いて、いわゆる裾が乱れることがある。
これを防止するために、マジックテープ（登録商標）のような滑り止めを用いて両前身頃を接合して開かないようにする方法や（特許文献１、２）、和服の下衣を巻きスカート形式にして、そもそも裾が開きずらい構造にする（特許文献３）などが主流であった。
【先行技術文献】
【特許文献】
【０００３】
【特許文献１】実開昭６０-１５２６１３号公報
【特許文献２】実開平６−５１２１３号公報
【特許文献３】実公昭４１−１８０２１号公報
【考案の概要】
【考案が解決しようとする課題】
【０００４】
しかしながら、滑り止め等の使用は、その脱着操作が面倒であり、また相当な力がかかる場合など確実性が劣る。さらに巻きスカート形式では多重に巻かざるを得ないので着用後の行動が更に拘束されるなど課題がある。
【０００５】
そこで、本考案では、簡単な構造としながら和服が簡便に着付けができ、しかも、重ねた両前身頃が開いて裾乱れがあったとしても、気にならない構造の和服を考案するものである。
【課題を解決するための手段】
【０００６】
本考案の第１は、腰部で上衣と下衣に二分割した和服であって、腰部を含む下衣にはマチ（襠）を付け、該マチは、縦長さは和服腰部から裾上までで、幅は右前身頃の右褄近傍から左前身頃に向かって左おくみ（衽）の左前身頃との接合端付近までの略方形のマチを両前身頃に架け渡すことにより筒状部を形成してなる、該下衣をスカートのように穿ける和服に関する。
【０００７】
本考案の第２は、本考案の第１において、マチの縦長さが少なくとも上下の何れかに裾に対して明きを開ける和服に関する。
【０００８】
本考案の第３は、腰部で上衣と下衣に二分割した和服であって、腰部を含む下衣にはマチ（襠）を付け、該マチは縦長さは和服腰部から裾上までで、幅は右前身頃の右褄近傍から左前身頃に向かって左おくみ（衽）の左前身頃との接合端までの略方形のマチを両前身頃に架け渡すことにより筒状部を形成してなる、該下衣をスカートのように穿き、当該マチは折り返して、前記衽部分で重ね合わせて着付けをすることからなる、和服の着付け方法に関する。
【０００９】
本考案の第４は、本考案の第３において着付ける際は、右前身頃は左前身頃よりも上方に、より強く引き付けて着付ける和服の着付け方法に関する。
【考案の効果】
【００１０】
本考案によれば、簡単な構造であって和服が簡便に着付ができるうえに、しかも、重ねた両前身頃が開いて裾乱れ発生しても実際上気にならない構造の和服を提供するものである。
すなわち、本考案によれば左右の前身頃にマチを架け渡し、たとえ両前身頃が開いても、架け渡したマチにより下着等が見えることはなく、結果として裾の乱れを気にする必要がない。
【００１１】
さらに、マチの両前身頃への取り付け方法は、マチの片方を右前身頃の右褄に直接縫着させ、左前身頃には、重ね合わせ部分に相当する左衽の接合まで一定の間隔をあけて縫着させて形成する。つまり右褄側には開きがなく、右褄とマチは連続している一方、左褄とマチの縫着位置には左衽の分だけ空きがある縫着構造となる。左衽自体にはマチが縫合しないので、重ね合わせの操作が容易である。この構成により、和服を着付けるに際しては、右前身頃側のマチと右前身頃とを折りたたんで着付けて、つぎにその上に左前身頃を重ねるという、通常の和服の着付けが可能となる上に、着付けの仕方の乱れがなくきれいにできる。なお、右衽は適宜に設けることができるが、いずれにしろ、マチは、右前身頃の端(右褄)に、その片方を縫合する。
【００１２】
マチの取り付けは、下衣の上下の裾に明きを開けて縫着する。一定の開きを開けることで、着付けの際にマチに捻じれの生じることが少ない。また特に下部に明きを開けると、裾さばきなどの動きに自由さを確保できるので軽快な動作が望める。もちろんマチの縫い合わせは接着も可能である。可能ならば一枚の反物から断裁してもよい。
【００１３】
すなわち、添付の図1でいうと、和服を着付ける際には、両前身頃２，３を左衽４で重ねて着付けるわけであるが、下前の裾（内側の裾）が外から見えないように、一定の力で右前身頃２を引き上げつつ、重ね合わせて着付けることが多い。このようにすることで、右前身頃２の裾８が上がって、一定幅でもって表裾に隠れるからであり、また着付け後の動作の間に着付けが緩んでも裏裾が見えることが少なくなる。和服ではこのような状態が所謂、作法とされる。
【００１４】
しかるに、右前身頃２をより強く引き上げると左右の前身頃間２．３に力の不均衡が働いて、マチ５にねじれが生じ上前身頃（表前身頃、左前身頃３）に皺が発生することがある。この皺は、マチ５の上下に明きを作ることにより皺発生を防止できる。
【００１５】
また上衣と下衣１の二部式にしているので、特に、上記のように両前身頃にマチを架け渡してあっても、それを穿くという操作が容易である。つまり、スカート感覚で穿くことができるので着付けが簡便である。
【００１６】
本考案では上衣と下衣の二部式としていることにより、和服の着付を困難にしている一つの要因である、いわゆる御端折り処理が不要とすることが可能であり、着付が非常に簡便になる。無論、身長によっては下衣の丈の調整が必要になる場合もあるが、このような場合でも、スカートの丈の調整と同様に同じ感覚で行うことができるので、洋服に慣れている近年の着用者には好ましい。
つまり、着衣者の身長の高低差に合わせて調整しやすい。
【００１７】
本考案の二部式の上衣には紐をつけることができるが、かくすることにより、襟合わせを調整できる、さらに、帯を別に締めることもできるが、この帯の代わりにすることもできる。もちろん結び方は、前結びやたらすような洋風の結び方にしてファッションを個人で楽しむことができる。
【図面の簡単な説明】
【００１８】
【図１】本考案の下衣の斜視図。
【図２】本考案の下衣を重ね折りした上面図着。
【図３】本考案の下衣の着付図。
【図４】本考案の上衣の上面図である。
【図５】本考案の上衣・下衣の両方の着付完了図。
【図６】本考案の下衣を着付けた断面図。
【考案を実施するための形態】
【００１９】
本考案を実施するための形態について、添付図面を参照しながら説明する。本考案の和服は和服の帯を装着する腰部で二分割され、図１に示すように下衣１は、二分割の和服の腰部を含む二部式和服の下衣部分である。そして、下衣１は、その右前身頃の右褄にマチ５がつけられ、適宜に縫着される。そしてマチ５の一方の端は、左前身頃３の略、左衽４の端の位置、すなわち、左衽４と左前身頃の接合線まで伸びていて、マチ5は適宜に縫着される。マチ5は、このように左褄７までは一定の明きを設けて接合されることが肝要である。左衽は、両前身頃を重ね合わせ、左前身頃共に着物の上前を形成するので、マチ5を左褄７までは一定の明きを設けて接合すると、明きの部分は左衽に相当し、重ね合わせが容易で、かつ重ね合わせ部分がより少なく、見た目がきれいにできるので有利である。このことは後記の図６で再度説明する。
【００２０】
マチ５の上下は、裾８まで、また紐９．１０の位置まで明きを開けている。従って、マチ５の縦長さは、下衣１の裾までの縦長さよりは短くなる。
それぞれの材料は通常の和服の布材料とすることができる。
【００２１】
衽４の長さを除外して、後身頃１０、左右の前身頃２，３及びマチ５からなる着物の幅長さ（環状体）としては、着用者のウエスト幅だけあればよいのだが、通常はそれより所定長さ分長くするのが通常である。右衽（図示せず）は付けても付けなくとも良い。
【００２２】
図２は、下衣１を二折りにした上面図である。マチ５が、左褄６には直接縫着される一方で、おくみ（衽）４を残して左前身頃に縫着されていることが判る。もちろん、可能ならば、全体を一つの反物の裁断により作成することもできる。
【００２３】
さらに、マチ５の上下には、所定幅で明きがあることもわかる。なお、右前身頃の裾１５は、下衣の略中央部から右褄６に向かって斜めである。
【００２４】
そして本考案の下衣の着用、着付けに当たっては、まず、下衣１を穿いた後、右褄６で接続している右前身頃３とマチ４とを適宜に折り返して、着用者の胴体に巻付ける。この折り返し部分は、衽４に重なり外部には見えないのが通常である。それゆえ、適宜に折り返すことができる。
【００２５】
すなわち、着付け後の下衣の断面図を示す図６のように、着用者は下衣１をスカート状に穿いた後、右前身頃２の端の右褄６に一方の端を縫着されたマチ５は、右前身頃２と共に着用者の胴体に巻付けられる。
ついで、マチ５は図６のように折り返えされ、左衽４の端に縫着されたマチ５の一方と左前身頃３が胴回りで重ね合わさされる。この図６からわかるように、マチ５の幅は、両身頃の重ね合わせの位置、つまり両褄６，７の位置等により、着易いように適宜に変更することができる。
【００２６】
着物としては、体格等により相違はあるものの、衽幅などある程度は一定とされるところがあるが、本考案では特にそれに拘らず、適宜の寸法とすることができる。要は、着用後の動作時に、両前身頃が開いても下着等が見えるのがガードされればよい。
【００２７】
繰り返すが、図６のように右前身頃３とマチ５とを適宜に折り返して、着用者の胴に巻付けた後、衽４を重ねて和服の下衣の着付けが完了する。
この際には、右前身頃２の右褄６にマチ５が直接縫着される構成であって、特に空きがないので、前記の折り返しが最少となり、さらにまた、重ね合わせの際に余計な右前身頃部分がはみ出ることがないので、着付けが容易である。
【００２８】
マチ５の上下に、特に裾８から所定長さの明きが開けてあるので、歩行等の動作が軽快となる。さらに下衣１１の上辺９までの明きも含めて、マチ５の上下の明きは、着用後のマチ５の捻じれ防止に役に立つので有用である。
【００２９】
すなわち、和服を着付ける際には、両前身頃２，３を重ねて着付けるわけであるが、下前の裾（内側の裾）が外から見えないように、一定の力で右前身頃２を引き上げつつ、重ね合わせて着付けることが多い。このようにすることで、右前身頃２の裾が上がって、一定幅でもって表裾８に隠れるからであり、また着付け後の動作の間に着付けが緩んでも裏裾が見えることが少なくなる。和服ではこのような状態が所謂、作法とされる。
【００３０】
しかるに、右前身頃２をより強く引き上げると左右の前身頃間２，３に力の不均衡が働いて、マチ５にねじれが生じ上前身頃（表前身頃、左前身頃３）に皺が発生することがある。この皺は、マチ５の上下に明きを作ることによりその発生を防止することが可能である。
【００３１】
身頃の裾１５が斜めになっているのも、右前身頃２の裾が上がって、一定幅でもって表裾８に隠れるからであり、また着付け後の動作の間に着付けが緩んでも裏裾が見えることが少なくなることに寄与する。
【００３２】
着付の実際には、下衣の着付の後、左右の紐１０，１１を適宜に結んで完了となる（図３、図５）。
【００３３】
図３に示されるように、重ね合わせた両前身頃２，３が開いても、マチ５がガードしているので着物内部が除くことがない。
【００３４】
次いで、上衣１３を着る（図４）。もちろん上衣は、図４に示される形態の物に限らないが、和服であるので上衣の衽で重ねて着て常法により帯締め（図示せず）等で上下合わせて和服とするのが通常である（図５）。本考案では上衣１３は、和服とするに適宜の構造とすることができる。場合によっては、上衣１３は洋服形状の上着とすることも可能である。
なお、図５で、紐10，11、14の上に帯を締めれば図3の態様になる。
【００３５】
本考案では上下に二分割の和服であるので、いわゆるお端折りをすることがないので便利である。もちろん丈の長さが着用者よりも長い場合もあり得るが、このようなときには、スカート丈長さの調整と同様にして下衣１の丈を調節すればよく、洋服に慣れた着用者ならば何の問題もない。
【００３６】
上衣１３には紐１４をつけることができるが、かくすることにより、襟合わせを調整できる、さらに、帯（図示せず）を別に締めることもできるが、この帯の代わりにすることもできる。もちろん結び方は、前結びや、たらすような洋風の結び方にしてファッションを個人で楽しむことができる。
【符号の説明】
【００３７】
１    和服下衣
２    右前身頃
３    左前身頃
４    左衽（おくみ）
５    マチ（襠）
６    右褄
７    左褄
８    左前身頃の裾
９    下衣上辺
１０  右紐
１１  左紐
１２  後身頃
１３  和服上衣
１４  上衣紐
１５  右前身頃の裾
【図１】
0003211164.tif 000003
【図２】
0003211164.tif 000004
【図３】
0003211164.tif 000005
【図４】
0003211164.tif 000006
【図５】
0003211164.tif 000007
【図６】
0003211164.tif 000008
【手続補正書】
【提出日】平成29年4月20日(2017.4.20)
【手続補正１】
【補正対象書類名】実用新案登録請求の範囲
【補正対象項目名】全文
【補正方法】変更
【補正の内容】
【実用新案登録請求の範囲】
【請求項１】
腰部で上衣と下衣に二分割した和服であって、腰部を含む下衣にはマチ（襠）を付け、該マチは、縦長さは和服腰部から裾上までで、幅は右前身頃の右褄近傍から左前身頃に向かって左おくみ（衽）の左前身頃との接合端付近までの略方形であるマチを両前身頃に架け渡すことにより筒状部を形成してなる、該下衣をスカートのように穿ける和服。
【請求項２】
マチの縦長さが少なくとも上下の何れかに裾に対して明きを開ける請求項１の和服。
【手続補正２】
【補正対象書類名】明細書
【補正対象項目名】全文
【補正方法】変更
【補正の内容】
【考案の詳細な説明】
【技術分野】
【０００１】
本考案は、着やすい簡便なマチ（襠）付の和服に関し、該マチがガードとなり、たとえば風や膝崩し等により身頃が開いて裾の乱れ等があっても気にならない構造のマチ付和服に関する。
【背景技術】
【０００２】
和服は、一般には左右の前身頃を重ね合わせて着付けることにより着付けるために、速足歩行時やひざ崩し時、風、階段等により、重ね合さった両前身頃が開いて、いわゆる裾が乱れることがある。
これを防止するために、マジックテープ（登録商標）のような滑り止めを用いて両前身頃を接合して開かないようにする方法や（特許文献１、２）、和服の下衣を巻きスカート形式にして、そもそも裾が開きずらい構造にする（特許文献３）などが主流であった。
【先行技術文献】
【特許文献】
【０００３】
【特許文献１】実開昭６０−１５２６１３号公報
【特許文献２】実開平６−５１２１３号公報
【特許文献３】実公昭４１−１８０２１号公報
【考案の概要】
【考案が解決しようとする課題】
【０００４】
しかしながら、滑り止め等の使用は、その脱着操作が面倒であり、また相当な力がかかる場合など確実性が劣る。さらに巻きスカート形式では多重に巻かざるを得ないので着用後の行動が更に拘束されるなど課題がある。
【０００５】
そこで、本考案では、簡単な構造としながら和服が簡便に着付けができ、しかも、重ねた両前身頃が開いて裾乱れがあったとしても、気にならない構造の和服を考案するものである。
【課題を解決するための手段】
【０００６】
本考案の第１は、腰部で上衣と下衣に二分割した和服であって、腰部を含む下衣にはマチ（襠）を付け、該マチは、縦長さは和服腰部から裾上までで、幅は右前身頃の右褄近傍から左前身頃に向かって左おくみ（衽）の左前身頃との接合端付近までの略方形のマチを両前身頃に架け渡すことにより筒状部を形成してなる、該下衣をスカートのように穿ける和服に関する。
【０００７】
本考案の第２は、本考案の第１において、マチの縦長さが少なくとも上下の何れかに裾に対して明きを開ける和服に関する。
【考案の効果】
【０００８】
本考案によれば、簡単な構造であって和服が簡便に着付ができるうえに、しかも、重ねた両前身頃が開いて裾乱れ発生しても実際上気にならない構造の和服を提供するものである。
すなわち、本考案によれば左右の前身頃にマチを架け渡し、たとえ両前身頃が開いても、架け渡したマチにより下着等が見えることはなく、結果として裾の乱れを気にする必要がない。
【０００９】
さらに、マチの両前身頃への取り付け方法は、マチの片方を右前身頃の右褄に直接縫着させ、左前身頃には、重ね合わせ部分に相当する左衽の接合まで一定の間隔をあけて縫着させて形成する。つまり右褄側には開きがなく、右褄とマチは連続している一方、左褄とマチの縫着位置には左衽の分だけ空きがある縫着構造となる。左衽自体にはマチが縫合しないので、重ね合わせの操作が容易である。この構成により、和服を着付けるに際しては、右前身頃側のマチと右前身頃とを折りたたんで着付けて、つぎにその上に左前身頃を重ねるという、通常の和服の着付けが可能となる上に、着付けの仕方の乱れがなくきれいにできる。なお、右衽は適宜に設けることができるが、いずれにしろ、マチは、右前身頃の端(右褄)に、その片方を縫合する。
【００１０】
マチの取り付けは、下衣の上下の裾に明きを開けて縫着する。一定の開きを開けることで、着付けの際にマチに捻じれの生じることが少ない。また特に下部に明きを開けると、裾さばきなどの動きに自由さを確保できるので軽快な動作が望める。もちろんマチの縫い合わせは接着も可能である。可能ならば一枚の反物から断裁してもよい。
【００１１】
すなわち、添付の図１でいうと、和服を着付ける際には、両前身頃２，３を左衽４で重ねて着付けるわけであるが、下前の裾（内側の裾）が外から見えないように、一定の力で右前身頃２を引き上げつつ、重ね合わせて着付けることが多い。このようにすることで、右前身頃２の裾８が上がって、一定幅でもって表裾に隠れるからであり、また着付け後の動作の間に着付けが緩んでも裏裾が見えることが少なくなる。和服ではこのような状態が所謂、作法とされる。
【００１２】
しかるに、右前身頃２をより強く引き上げると左右の前身頃間２．３に力の不均衡が働いて、マチ５にねじれが生じ上前身頃（表前身頃、左前身頃３）に皺が発生することがある。この皺は、マチ５の上下に明きを作ることにより皺発生を防止できる。
【００１３】
また上衣と下衣１の二部式にしているので、特に、上記のように両前身頃にマチを架け渡してあっても、それを穿くという操作が容易である。つまり、スカート感覚で穿くことができるので着付けが簡便である。
【００１４】
本考案では上衣と下衣の二部式としていることにより、和服の着付を困難にしている一つの要因である、いわゆる御端折り処理が不要とすることが可能であり、着付が非常に簡便になる。無論、身長によっては下衣の丈の調整が必要になる場合もあるが、このような場合でも、スカートの丈の調整と同様に同じ感覚で行うことができるので、洋服に慣れている近年の着用者には好ましい。
つまり、着衣者の身長の高低差に合わせて調整しやすい。
【００１５】
本考案の二部式の上衣には紐をつけることができるが、かくすることにより、襟合わせを調整できる、さらに、帯を別に締めることもできるが、この帯の代わりにすることもできる。もちろん結び方は、前結びやたらすような洋風の結び方にしてファッションを個人で楽しむことができる。
【図面の簡単な説明】
【００１６】
【図１】本考案の下衣の斜視図。
【図２】本考案の下衣を重ね折りした上面図着。
【図３】本考案の下衣の着付図。
【図４】本考案の上衣の上面図である。
【図５】本考案の上衣・下衣の両方の着付完了図。
【図６】本考案の下衣を着付けた断面図。
【考案を実施するための形態】
【００１７】
本考案を実施するための形態について、添付図面を参照しながら説明する。本考案の和服は和服の帯を装着する腰部で二分割され、図１に示すように下衣１は、二分割の和服の腰部を含む二部式和服の下衣部分である。そして、下衣１は、その右前身頃の右褄にマチ５がつけられ、適宜に縫着される。そしてマチ５の一方の端は、左前身頃３の略、左衽４の端の位置、すなわち、左衽４と左前身頃の接合線まで伸びていて、マチ5は適宜に縫着される。マチ5は、このように左褄７までは一定の明きを設けて接合されることが肝要である。左衽は、両前身頃を重ね合わせ、左前身頃共に着物の上前を形成するので、マチ5を左褄７までは一定の明きを設けて接合すると、明きの部分は左衽に相当し、重ね合わせが容易で、かつ重ね合わせ部分がより少なく、見た目がきれいにできるので有利である。このことは後記の図６で再度説明する。
【００１８】
マチ５の上下は、裾８まで、また紐９．１０の位置まで明きを開けている。従って、マチ５の縦長さは、下衣１の裾までの縦長さよりは短くなる。
それぞれの材料は通常の和服の布材料とすることができる。
【００１９】
衽４の長さを除外して、後身頃１０、左右の前身頃２，３及びマチ５からなる着物の幅長さ（環状体）としては、着用者のウエスト幅だけあればよいのだが、通常はそれより所定長さ分長くするのが通常である。右衽（図示せず）は付けても付けなくとも良い。
【００２０】
図２は、下衣１を二折りにした上面図である。マチ５が、左褄６には直接縫着される一方で、おくみ（衽）４を残して左前身頃に縫着されていることが判る。もちろん、可能ならば、全体を一つの反物の裁断により作成することもできる。
【００２１】
さらに、マチ５の上下には、所定幅で明きがあることもわかる。なお、右前身頃の裾１５は、下衣の略中央部から右褄６に向かって斜めである。
【００２２】
そして本考案の下衣の着用、着付けに当たっては、まず、下衣１を穿いた後、右褄６で接続している右前身頃３とマチ４とを適宜に折り返して、着用者の胴体に巻付ける。この折り返し部分は、衽４に重なり外部には見えないのが通常である。それゆえ、適宜に折り返すことができる。
【００２３】
すなわち、着付け後の下衣の断面図を示す図６のように、着用者は下衣１をスカート状に穿いた後、右前身頃２の端の右褄６に一方の端を縫着されたマチ５は、右前身頃２と共に着用者の胴体に巻付けられる。
ついで、マチ５は図６のように折り返えされ、左衽４の端に縫着されたマチ５の一方と左前身頃３が胴回りで重ね合わさされる。この図６からわかるように、マチ５の幅は、両身頃の重ね合わせの位置、つまり両褄６，７の位置等により、着易いように適宜に変更することができる。
【００２４】
着物としては、体格等により相違はあるものの、衽幅などある程度は一定とされるところがあるが、本考案では特にそれに拘らず、適宜の寸法とすることができる。要は、着用後の動作時に、両前身頃が開いても下着等が見えるのがガードされればよい。
【００２５】
繰り返すが、図６のように右前身頃３とマチ５とを適宜に折り返して、着用者の胴に巻付けた後、衽４を重ねて和服の下衣の着付けが完了する。
この際には、右前身頃２の右褄６にマチ５が直接縫着される構成であって、特に空きがないので、前記の折り返しが最少となり、さらにまた、重ね合わせの際に余計な右前身頃部分がはみ出ることがないので、着付けが容易である。
【００２６】
マチ５の上下に、特に裾８から所定長さの明きが開けてあるので、歩行等の動作が軽快となる。さらに下衣１１の上辺９までの明きも含めて、マチ５の上下の明きは、着用後のマチ５の捻じれ防止に役に立つので有用である。
【００２７】
すなわち、和服を着付ける際には、両前身頃２，３を重ねて着付けるわけであるが、下前の裾（内側の裾）が外から見えないように、一定の力で右前身頃２を引き上げつつ、重ね合わせて着付けることが多い。このようにすることで、右前身頃２の裾が上がって、一定幅でもって表裾８に隠れるからであり、また着付け後の動作の間に着付けが緩んでも裏裾が見えることが少なくなる。和服ではこのような状態が所謂、作法とされる。
【００２８】
しかるに、右前身頃２をより強く引き上げると左右の前身頃間２，３に力の不均衡が働いて、マチ５にねじれが生じ上前身頃（表前身頃、左前身頃３）に皺が発生することがある。この皺は、マチ５の上下に明きを作ることによりその発生を防止することが可能である。
【００２９】
身頃の裾１５が斜めになっているのも、右前身頃２の裾が上がって、一定幅でもって表裾８に隠れるからであり、また着付け後の動作の間に着付けが緩んでも裏裾が見えることが少なくなることに寄与する。
【００３０】
着付の実際には、下衣の着付の後、左右の紐１０，１１を適宜に結んで完了となる（図３、図５）。
【００３１】
図３に示されるように、重ね合わせた両前身頃２，３が開いても、マチ５がガードしているので着物内部が除くことがない。
【００３２】
次いで、上衣１３を着る（図４）。もちろん上衣は、図４に示される形態の物に限らないが、和服であるので上衣の衽で重ねて着て常法により帯締め（図示せず）等で上下合わせて和服とするのが通常である（図５）。本考案では上衣１３は、和服とするに適宜の構造とすることができる。場合によっては、上衣１３は洋服形状の上着とすることも可能である。
なお、図５で、紐10，11、14の上に帯を締めれば図３の態様になる。
【００３３】
本考案では上下に二分割の和服であるので、いわゆるお端折りをすることがないので便利である。もちろん丈の長さが着用者よりも長い場合もあり得るが、このようなときには、スカート丈長さの調整と同様にして下衣１の丈を調節すればよく、洋服に慣れた着用者ならば何の問題もない。
【００３４】
上衣１３には紐１４をつけることができるが、かくすることにより、襟合わせを調整できる、さらに、帯（図示せず）を別に締めることもできるが、この帯の代わりにすることもできる。もちろん結び方は、前結びや、たらすような洋風の結び方にしてファッションを個人で楽しむことができる。
【符号の説明】
【００３５】
１    和服下衣
２    右前身頃
３    左前身頃
４    左衽（おくみ）
５    マチ（襠）
６    右褄
７    左褄
８    左前身頃の裾
９    下衣上辺
１０  右紐
１１  左紐
１２  後身頃
１３  和服上衣
１４  上衣紐
１５  右前身頃の裾